(57)【特許請求の範囲】
【請求項１】
画像及びテキストから構成される画像付き文章を記録する記録部と、上記画像付き文章を記録する前に上記テキストのみを受信した場合に上記テキストからキーワードを抽出し送信するキーワード抽出部を有するコンテンツ作成装置に対して、画像を送信可能な画像送信機能付きカメラにおいて、
上記コンテンツ作成装置の上記キーワード抽出部によって抽出されたキーワードを受信する入出力部と、
表示部と、
撮影時に、受信した上記キーワードを上記表示部に表示させる表示制御部と、
を有することを特徴とする画像送信機能付きカメラ。
【請求項２】
上記入出力部によって受信するキーワードは、上記画像送信機能付きカメラによって送信された画像と上記コンテンツ作成装置によって一組のコンテンツとされる文章から得られることを特徴とする請求項１に記載の画像送信機能付きカメラ。
【請求項３】
上記入出力部は、上記コンテンツ作成装置に対して識別情報を送信し、
上記表示制御部は、上記コンテンツ作成装置から受信する上記識別情報に対応するキーワードを上記表示部に表示させる、
ことを特徴とする請求項１に記載の画像送信機能付きカメラ。
【請求項４】
コンテンツ作成装置に対して、画像を送信する画像送信機能付きカメラにおいて、
上記送信する画像に、上記コンテンツ作成装置が、該画像の表示時に異なる機器から送信されるテキストデータが必要か否かを、上記コンテンツ作成装置が判定するための判定情報を付与して、上記画像の送信を行う送信部を有することを特徴とする画像送信機能付きカメラ。
【請求項５】
画像及びテキストから構成される画像付き文章を記録し、上記画像付き文章を記録する前に上記テキストのみを受信した場合に上記テキストからキーワードを抽出し送信するコンテンツ作成装置に対して、画像を送信する画像送信機能付きカメラの表示制御方法において、
上記コンテンツ作成装置によって抽出されたキーワードを受信し、
撮影時に、受信した上記キーワードを表示部に表示させる、
ことを特徴とする表示制御方法。
【請求項６】
コンテンツ作成装置に対して、画像を送信するカメラにおける画像送信方法において、
送信する上記画像に、上記コンテンツ作成装置が、該画像の表示時に異なる機器から送信されるテキストデータが必要か否かを判定するための判定情報を付与して、上記画像を送信することを特徴とする画像送信方法。
【発明の詳細な説明】
【技術分野】
【０００１】
本発明は、個人の作成した画像と文章からなる画像付き文章またはテキストなし画像を、ネットワークを介して管理し、外部公開する画像付文章公開装置に対して、画像を送信する画像送信機能付きカメラ、表示制御方法、および画像送信方法に関する。
【背景技術】
【０００２】
インターネットなどのネットワークが普及した現在においては、個人のホームページ（ＨＰ）を公開することが可能となってきている。また最近では、ＨＰに比べて作成が手軽な、いわゆるブログ（ＷｅｂＬｏｇ）がはやっている。このブログを使いやすくするアイデアも種々提案されている。例えば、ユーザーが日々日記をつける感覚でウエブサーバに画像、コメントを自由な形でアップロードすることができる画像日記作成公開システムが特許文献1に提案されている。この提案では、画像やコメントがアップロード単位及びユーザー単位で整理されるため、ウエブサーバ上でアルバムを編集する必要がない。また、画像やコメントがアップロードされると、ウエブサーバが編集作業を自動的に行うので、ユーザーはアップロードの際の煩雑な操作を要求されことがなく、手軽に利用できる。
【０００３】
また、ユーザーは携帯電話を日常持ち歩き、携帯電話は文章を作成するに当たって便利であることから、ブログの作成に携帯電話が積極的に利用されている。このように携帯電話が常に携帯されていることに着目し、被写体を撮影した画像を日々定期的に送信するよう促すような携帯電話が特許文献２に提案されている。この特許文献２に開示されている携帯電話の日記データ送信通知部は、日記データを送信するよう促す通知（メッセージ）を表示部に表示している。この表示によりユーザーは日記データの送信を促され、日記データをサーバに送信を行う。
【０００４】
次に、図１１のフローチャートを用いて、ユーザーが画像入りブログを作成する際の一般的な操作について説明する。まず、ユーザーがブログ投稿の着想を得たり、構想をめぐらせたりする（Ｓ２０１）。構想が固まると、ステップＳ２０２に進む。
【０００５】
この構想をもとに、ステップＳ２０２において、被写体画像を撮影しようとする。カメラが手元にあり、被写体がすぐ近くに在れば（Ｓ２０２ＹＥＳ）、Ｓ２０３にて撮影を行う。手元にカメラがなかったり、または被写体のある場所まで出かけていく必要がある場合であって（Ｓ２０２ＮＯ）、テキスト作成のための時間がある場合には（Ｓ２０４ＹＥＳ）、先にテキストを作成してしまう場合がある（Ｓ２０５）。このテキスト作成は、ネットに繋がったパーソナルコンピュータ（ＰＣ）で行う。このテキストと画像が揃ったところで、ブログ投稿用の原稿が完成し（Ｓ２０６ＹＥＳ）、テキストおよび画像をセットにしてサーバに送信し（Ｓ２０７）、これでブログ投稿が終了する。
【先行技術文献】
【特許文献】
【０００６】
【特許文献１】特開２００５−０８４９０１号公報
【特許文献２】特開２００５−２６０６８９号公報
【発明の概要】
【発明が解決しようとする課題】
【０００７】
図１１に示すような従来方法では、ユーザーが画像およびテキストの両方をセットにしてからでないと送信できない。しかし、ユーザーにとって常に画像とテキストをセットにして公開したい場合だけではなく、テキストなしで画像を公開したい場合もあるが、従来方法では対応することができない。
【０００８】
また、特許文献２でも紹介したようなカメラ付き携帯電話であれば画像撮影と文章の作成を同時にできるという大きなメリットがある。しかし、携帯電話のカメラでは、十分な画質や気に入った撮影条件の画像を得ることが出来ない点で不利である。画像にこだわる人は、画像撮影はデジタルカメラやムービーを使って行い、撮影後に家に帰り室内でＰＣを用いて文章を作成し、撮影画像を添付して、完成したブログとしてサイトに送信している。
【０００９】
画像撮影はデジタルカメラ等で行う場合に、先に文章を作成してサイトに送信すると、ユーザーは、どのような文章を送信したか思い出しながら撮影をしなければならない。はっきり思い出せない場合には、先に送信した文章に相応しい画像の撮影が困難である。
【００１０】
本発明は、このような事情を鑑みてなされたものであり、画像とテキストをセットにして公開したい場合と、テキストなしで画像を公開したい場合の何れにも対応でき、また、先にテキストを送信した場合でも適切な撮影が可能な画像送信機能付きカメラ、表示制御方法、および画像送信方法を提供することを目的とする。
【課題を解決するための手段】
【００１１】
上記目的を達成するため第１の発明に係る画像送信機能付きカメラは、画像及びテキストから構成される画像付き文章を記録する記録部と、上記画像付き文章を記録する前に上記テキストのみを受信した場合に上記テキストからキーワードを抽出し送信するキーワード抽出部を有するコンテンツ作成装置に対して、画像を送信可能な画像送信機能付きカメラにおいて、上記コンテンツ作成装置の上記キーワード抽出部によって抽出されたキーワードを受信する入出力部と、表示部と、撮影時に、受信した上記キーワードを上記表示部に表示させる表示制御部と、を有する。
第２の発明に係る画像送信機能付きカメラは、上記第１の発明において、上記入出力部によって受信するキーワードは、上記画像送信機能付きカメラによって送信された画像と上記コンテンツ作成装置によって一組のコンテンツとされる文章から得られる。
第３の発明に係る画像送信機能付きカメラは、上記第１の発明において、上記入出力部は、上記コンテンツ作成装置に対して識別情報を送信し、上記表示制御部は、上記コンテンツ作成装置から受信する上記識別情報に対応するキーワードを上記表示部に表示させる。
第４の発明に係る画像送信機能付きカメラは、コンテンツ作成装置に対して、画像を送信する画像送信機能付きカメラにおいて、上記送信する画像に、上記コンテンツ作成装置が、該画像の表示時に異なる機器から送信されるテキストデータが必要か否かを、上記コンテンツ作成装置が判定するための判定情報を付与して、上記画像の送信を行う送信部を有する。
【００１２】
第５の発明に係る表示制御方法は、画像及びテキストから構成される画像付き文章を記録し、上記画像付き文章を記録する前に上記テキストのみを受信した場合に上記テキストからキーワードを抽出し送信するコンテンツ作成装置に対して、画像を送信する画像送信機能付きカメラの表示制御方法において、上記コンテンツ作成装置によって抽出されたキーワードを受信し、撮影時に、受信した上記キーワードを表示部に表示させる。
第６の発明に係る画像送信方法は、コンテンツ作成装置に対して、画像を送信するカメラにおける画像送信方法において、送信する上記画像に、上記コンテンツ作成装置が、該画像の表示時に異なる機器から送信されるテキストデータが必要か否かを判定するための判定情報を付与して、上記画像を送信する。
【発明の効果】
【００１３】
本発明によれば、画像とテキストをセットにして公開したい場合と、テキストなしで画像を公開したい場合の何れにも対応でき、また、先にテキストを送信した場合でも適切な撮影が可能な画像送信機能付きカメラ、表示制御方法、および画像送信方法を提供することができる。
【図面の簡単な説明】
【００１４】
【図１】本発明の一実施形態に係わるブログ支援システムのシステムブロック図である。
【図２】本発明の一実施形態に係るブログ支援システムで使用されるカメラの構成を示すブロック図である。
【図３】本発明の一実施形態に係るブログ支援システムにおけるユーザーの投稿操作を示すフローチャートであり、（Ａ）はメインルーチン、（Ｂ）はカメラ処理のサブルーチン、（Ｃ）は携帯電話処理のサブルーチンを示すフローチャートである。
【図４】本発明の一実施形態に係るブログ支援システムにおけるサイトサーバー処理のメインルーチンを示すフローチャートである。
【図５】本発明の一実施形態に係るブログ支援システムにおけるサイトサーバー画像受信のサブルーチンを示すフローチャートである。
【図６】本発明の一実施形態に係るブログ支援システムにおけるサイトサーバー日時等情報受信のサブルーチンとサイトサーバーテキスト受信のサブルーチンを示すフローチャートであり、（Ａ−１）はサイトサーバー日時等情報受信のサブルーチン、（Ａ−２）はサイトサーバーテキスト受信のサブルーチン、（Ｂ）は対応するキャリアサーバーの動作、（Ｃ）は対応する携帯電話の動作を示すフローチャートである。
【図７】本発明の一実施形態に係るブログ支援システムにおけるサイトサーバー公開要求受信のサブルーチンを示すフローチャートである。
【図８】本発明の一実施形態に係るブログ支援システムにおけるカメラへのキーワード送信処理のサブルーチンを示すフローチャートである。
【図９】本発明の一実施形態に係るブログ支援システムにおけるサイトサーバーから送信されたキーワードを参照しながら撮影を行う様子を示す図である。
【図１０】本発明の一実施形態に係るブログ支援システムにおけるカメラ単体の動作モードを示すフローチャートであり、（Ａ）はメインルーチン、（Ｂ）は撮影モードのサブルーチン、（Ｃ）は再生モードのサブルーチン、（Ｃ）は送信モードのサブルーチンを示すフローチャートである。
【図１１】従来におけるユーザーの投稿操作を示すフローチャートである。
【発明を実施するための形態】
【００１５】
以下、図面に従って本発明を適用したブログ作成支援システムを用いて好ましい実施形態について説明する。本発明を適用したブログ作成支援システムは、テキスト作成を携帯電話等で行い、携帯電話等の機器の画像表示機能を有効利用することにより、手間のかからない簡便なブログ作成を支援することができる。
【００１６】
図１に本発明の実施形態に係わるブログ作成支援システムのシステムブロック図を示す。ユーザーが使用するカメラ１０は、パーソナルコンピュータ（ＰＣ）３２に接続され、ＰＣ３２はネットワーク３５に接続されている。ネットワーク３５には、ブログを運営するブログサーバーが存在する。ブログサイトには、ブログのデータを記憶し管理等するサイトサーバー５１が設けられる。このサイトサーバー５１が、各ユーザーから投稿されたブログを、各ユーザーの要求に応じてネットワーク３５を介して閲覧可能に管理する。ブログを閲覧したいユーザーは、ＰＣ３４を通じてサイトサーバー５１にアクセスし、例えばテキスト３７ｂおよび画像３３ａから、構成されるブログを閲覧することができる。
【００１７】
サイトサーバー５１の内部には、不図示のＲＯＭに記録されたプログラムを読み込んでサイトサーバー５１の全体を制御するＣＰＵ６０や、ユーザーのＰＣ３２から送信されてきた画像３３ａの画像データや、携帯電話３６から送信されてきたテキスト３７ａのテキストデータ等を記憶するための記録部５２や、ＰＣ３２から送信された画像３３ａのデータ量を縮小し、携帯電話で送信し易いサイズにリサイズするためのリサイズ部５３が設けられている。また、サイトサーバー５１の内部には、携帯電話の電話番号やインターネットメールのアドレス等からユーザーであることを判定するユーザー判定部５４、携帯電話の番号にリサイズされた画像データ等を送信するための携帯送信部５５が設けられている。
【００１８】
さらに、サイトサーバー５１の内部には、ＰＣ３４等の外部装置からネットワーク３５を通じてサイトサーバー５１にアクセスがあった場合に、応答するためのアクセス反応部５８と、ＰＣ３４等に画像３３ｂやテキスト３７ｂで構成されるブログ等を表示するための表示制御部５９が設けられている。サイトサーバー５１の内部には、記録部５２に記録されているテキストから画像を認識するためのキーワードを抽出するためのキーワード抽出部６１と、またネットワーク３５およびＰＣ３２を通じてカメラ１０と通信するためのカメラ通信部６２と、記録部５２に記録された画像とテキストの関連付けを検出し、画像とテキストの両方が揃ったことを判定するブログ判断部６３が設けられている。
【００１９】
ネットワーク３５上には携帯電話管理会社の運営するキャリアサーバー４１が存在する。このキャリアサーバー４１には、サイトサーバー連携部４２や位置判定部４３が設けられる。サイトサーバー連携部４２は、携帯電話３６からのブログのデータをサイトサーバー５１に送信する。位置判定部４３は、携帯電話３６の現在位置を、ＧＰＳ情報や受信した基地局の場所から判定するものである。携帯電話３６で作成され送信されたテキスト３７ａが、キャリアサーバー４１を経由して、サイトサーバー５１に送信される。
【００２０】
次に、ブログ作成支援システムの動作を説明する。登録ユーザーは、ＰＣ３２等のインターネット接続機器を通して（直接無線ＬＡＮなどでネット接続してもよい）、カメラ１０で撮影した画像３３ａを、ブログ掲載を管理するブログサイトのサイトサーバー５１（画像付文章公開装置）に画像データを転送する。サイトサーバー５１は、画像３３ａの画像データを記録部５２に保存する。また、携帯電話３６で作成された画像３３ａと関連する文章（テキスト）はキャリアサーバー４１のサイトサーバー連携部４２によってサイトサーバー５１に送信され、記録部５２に記録される。
【００２１】
アクセス反応部５８は、他のユーザーのＰＣ３４からの閲覧要求（アクセス）を判断し、表示制御部５９は、アクセスに応じてこの画像とテキストを公開表示する。ただし、画像とテキストが揃わない場合には、ブログ記事として完成しないことも多く、その場合は、表示制御部５９は、そのブログの表示を禁止する。サイトサーバー５１は、受信したデータが画像のみでテキストがない場合は、画像を送ってきたユーザーの携帯電話３６に携帯送信部５５を介して、リサイズ部５３によってリサイズされたリサイズ画像付のメールを送り返す。このときユーザー判定部５４は、ユーザーの携帯電話３６のアドレス等を判定する。
【００２２】
縮小画像を受け取ったユーザーは、時間のあるときに携帯電話３６を操作し、画像３３ａに関連したテキスト３７ａを作成の上、サイトサーバー５１に送信する。なお、テキスト作成時には、サイトサーバー５１から送信された縮小画像が携帯電話３６に表示され、テキスト作成の補助になる。携帯電話３６から送られてきたテキストをサイトサーバー５１が受信すると、ユーザー判定部５４はユーザーを識別し、関連付け部５７は先に受信した画像とテキストの関連付けを行い、これらの関連付けられた画像とテキストデータは記録部５２に記録される。このようにして、セットとなったブログ記事が完成し、カメラ１０による高画質の画像３３ａと携帯電話３６等で作成したテキスト３７ａが組合せられる。
【００２３】
テキスト３７ａと画像３３ａがセットになった時点で、サイトサーバー５１は他のユーザーからの閲覧アクセスを許可する。閲覧が許可されれば、他のユーザーのＰＣ３４で、これらの画像３３ｂ、記事３７ｂからなるブログ記事を閲覧可能とすることが出来る。これらが揃わなければ、表示を禁止するようにしてもよい。但し、ブログ作成の本人に対しては、画像とテキスト（記事）が、揃っていなくても表示を許可する。
【００２４】
このように本発明の一実施形態においては、ユーザーは、携帯電話を用いて、どこでも記事（テキスト）を作成することができる。その上、サイトサーバー５１からリサイズ画像が送信され、そのリサイズ画像を見ながら記事を作成することができることから、どの画像に対して記事（テキスト）を書くかを確認することができ、画像と記事のミスマッチがなくなる。また、サイトサーバー５１からメールが来ることにより、書き忘れなどがなくなり、また記事や画像はできるたびに、サイトに記録されるので、ブログの管理に神経を使わずにすむ。
【００２５】
次に、本発明が適用されるブログ作成支援システム（画像管理装置）に、使用されるカメラ１０について説明する。図２は、カメラ１０のブロック図である。なお、画像管理装置は、後述する画像判定部、画像処理部、表示制御部、ＭＰＵ及びＲＯＭから主として構成される。
【００２６】
カメラ１０には、撮影レンズ部２、ＡＦ（オートフォーカス）制御部２ａ、絞り部３、絞り制御部３ａ、撮像素子４、アナログフロントエンド（以下、ＡＦＥと略す）部５が設けられている。撮影レンズ部２は、内部にフォーカスレンズを有し、入射した被写体２０の像を撮像素子４上に結像させる。ＡＦ制御部２ａは、撮影レンズ部２の合焦位置を、いわゆる山登り法により検出し、フォーカスレンズを駆動して、合焦位置に移動させる。なお、山登り法は、撮影画像のコントラスト信号ピークから合焦位置（ピント位置）を検出する方式であるが、山登り法以外にも、例えば位相差法や三角測距法等公知の合焦方法に置き換えてもよい。
【００２７】
撮影レンズ部２内または近傍に、シャッターや絞りの効果を奏する絞り部３が設けられる。絞り部３は、撮影時に所定の口径まで開き、露出が終了すると閉じて露光を終了させるものである。絞り制御部３ａは、絞り部３を駆動して絞り径を設定する。この絞りを変えることによって、レンズの被写界深度が変化するので、背景のぼけ具合などを調整して、被写体を浮かび上がらせたり、背景をしっかりと描写したりするなど、表現の切り替えを行うことができる。このように絞り値の設定も、ネットワークを通じ、ブログなどに掲載すれば、仲間の写真をみてノウハウを学ぶことが出来る。撮像素子４は、多数の受光面（画素）からなるＣＣＤやＣＭＯＳセンサ等である。撮像素子４は、撮影レンズ部２を介して被写体２０からの像を受光しこれを画像信号に変換する。
【００２８】
アナログフロントエンド（ＡＦＥ）部５は、アナログデジタル変換（ＡＤ）手段を含み、撮像素子４からの信号をデジタル信号化する。そして、ＡＦＥ部５は、撮像素子４から出力される画像信号について各種処理を行う。また、ＡＦＥ部５には、撮像素子４のいくつかの画素をまとめて、一括して読み出す機能も設けられている。たとえば、４画素（２×２）や９画素（３×３）など、各画素の信号レベルが小さいときには、いくつかの画素信号を加算して、Ｓ／Ｎを向上させることが出来る。このような操作によって、感度を上げることも出来る。このように撮像素子のいくつかの同色の画素信号を加算して利用することによって、Ｓ／Ｎを改善することができる。
【００２９】
このような操作によって、感度を上げることなどをでき、シャッタースピードを速くするなどの撮影上の工夫が可能となる。シャッタースピードが速いと、動いている被写体が止まっているように撮影することなどが可能となる。シャッタースピードをユーザーが切り替え可能とし、適正露出を絞りや感度の制御で行うカメラでは、一般的にシャッタースピードを遅くすれば、例えば、川の流れを撮影する際に、水の流れが糸のように伸びた描写が可能となる。シャッタースピードを速くすれば、同じ川の流れを撮影したとしても、その瞬間がとらえられ、水しぶきが上がった瞬間や、さざなみの様子が細かく再現可能となる。また、スポーツ写真でも、シャッタースピードを速くすれば、被写体の動きを止めることが出来、その表情までをはっきり写しこむことが可能となる。このようにシャッタースピードをどのように設定するかなども、撮影時の貴重なノウハウになり、本発明が目指すようなネットを通じたコミュニケーション環境では、仲間同士で共有したい話題となる。画像と一緒に、こうしたデータをブログ掲載してもよい。
【００３０】
また、ＡＦＥ部５は撮像素子４の出力する画像信号を取捨選択する機能も有し、全部の受光面から限られた範囲の画像データを抽出することが出来る。この制御によって、所定の領域のみの画像を記録すれば、いわゆるトリミングと同様の効果を出すことも出来る。
【００３１】
カメラ１０には、画像処理部６が設けられる。画像処理部６は、入力信号の色や階調やシャープネスを補正処理する。画像処理部６は、ライブ画像をリアルタイムに表示部に表示できるように、撮像素子４からの信号を表示部に表示できるようなサイズに加工するリサイズ手段を有する。この働きによって、撮影に先立って撮像素子に入射する像を確認でき、これを見ながら撮影時のタイミングやシャッターチャンスを決定することが出来る。また画像処理部６内には、暗い被写体に対してＩＳＯ感度を自動的に増加させる増感部６ａも設けられる。
【００３２】
画像処理部６には、色判別部１７ａ及びコントラスト判定部１７ｂが接続される。色判別部１７ａは、画像情報に含まれる色成分を判別し、コントラスト判定部１７ｂは、画像信号のコントラストを判定する。またコントラストは、ＡＦ制御部２ａのオートフォーカスの制御にも利用される。このピント合わせ時のレンズ位置の情報によって、被写体の距離や、背景の距離なども判定できる。
【００３３】
また、カメラ１０には、圧縮伸長部７、記録再生部８、記録メディア９、入出力部１６、表示制御部１１及び表示部１２が設けられる。圧縮伸長部７は、撮影時に画像処理部６から出力された信号を圧縮する。圧縮伸長部７内には、ＭＰＥＧ（Ｍｏｖｉｎｇ  Ｐｉｃｔｕｒｅ  Ｅｘｐｅｒｔｓ  Ｇｒｏｕｐ）４やＨ．２６４などの圧縮用コア部で構成される動画用の圧縮部Ｍ  ７ａ及び  ＪＰＥＧ（Ｊｏｉｎｔ  Ｐｈｏｔｏｇｒａｐｈｉｃ  Ｅｘｐｅｒｔｓ  Ｇｒｏｕｐ）コア部など静止画像用の圧縮部Ｓ  ７ｂが設けられる。記録再生部８は、上記で圧縮された画像信号を記録メディア９に記録する。記録メディア９はカメラに着脱可能な保存用の記録媒体である。
【００３４】
表示部１２は、例えば液晶や有機ＥＬ等から構成され、撮影時にはモニタ画像を表示し、再生時には伸張処理された記録画像を表示する。表示制御部１１は、表示部１２への表示を制御する。また、表示制御部１１はマルチ制御部１１ａを有する。マルチ制御部１１ａは、表示部１２にサムネイル画像を表示させる。
【００３５】
再生時には、圧縮伸長部７は記録メディア９に記録された圧縮データを伸張し、画像処理部６はさらに表示に適した画像に変換処理する。変換処理された画像が再生画像として、表示制御部１１を介して表示部１２にて表示され、鑑賞される。
【００３６】
入出力部１６は、外部の人間３０とネットワークを経由して画像データやその他のデータのやり取りを中継する。外部から画像データ３１を入力する事も可能となる。この撮影画像に添付される情報は、前述のように、撮影時の時刻、露出制御パラメータ、テーマ情報などが上げられる。このような付随情報によって、その人がどのような画像をテーマに写真を撮っているかや、撮影技法を、他のネットユーザー３０も、知ることができ、交流を深めることが出来る。
【００３７】
カメラ１０には、補助光発光部１３、ＭＰＵ１４、ＲＯＭ１５、レリーズスイッチ１５ａ、モード切替スイッチ１５ｂ、他のスイッチ１５ｃが設けられる。補助光発光部１３は、白色ＬＥＤやＸｅ放電発光管を有し、電流量で光量が制御できるようになっている。状況に応じて被写体２０に光を照射して、明るさの不足や不均一な明るさを防止する。
【００３８】
ＭＰＵ１４は、カメラ全体の制御を司る制御手段である。レリーズスイッチ１５ａ、モード切替スイッチ１５ｂ、他のスイッチ１５ｃおよびＲＯＭ１６が、ＭＰＵ１４に接続される。各スイッチ１５ａ〜１５ｃは、ユーザーの操作を検出して、その結果をマイクロコントローラからなる演算制御手段であるＭＰＵ１４に通知する。ＭＰＵ１４が、これらのスイッチの操作に従って動作を切り換える。また、ＭＰＵ１４は撮影時には、ＡＦ制御部２ａや絞り制御部３ａ等の制御を行う撮影制御部として機能する。
【００３９】
ＲＯＭ１５は、不揮発性でかつ記録可能なメモリで、例えばフラッシュＲＯＭからなり、カメラ１０の制御処理を行う制御用のプログラムが格納される。ＭＰＵ１４は、ＲＯＭ１５からプログラムを読み込んで実行する。また、ＭＰＵ１４には、時計部１４ａが内蔵される。時計部１４ａによって計測される写真撮影の時間は非常に重要で、撮影時刻や撮影頻度は撮影のテーマを判定する重要な要素となる（夜の風景なら夜景とか）。そして、日時分類部１４ｂは計測された撮影日時から撮影画像を分類処理する。
【００４０】
次に、図３を用いてユーザー操作の概略についてフローチャートを用いて説明する。図３（Ａ）は、ユーザー操作の概略フローチャートであり、（Ｂ）はステップＳ１３のカメラ処理のサブルーチンを説明するフローチャート、（Ｃ）はステップＳ１５の携帯電話処理のサブルーチンを説明するフローチャートである。まず、ブログを着想した時点（Ｓ１１）で、撮影可能な環境であれば、ステップＳ１２においてＹに分岐し、カメラ１０を用いて撮影を行う（Ｓ１３）。
【００４１】
このステップＳ１３のカメラ処理に進むと、カメラ１０によって撮影を行い（Ｓ２１）この撮影が終わると、携帯電話が手元にあり、この携帯電話からキャリアサーバー４１を介してサイトサーバー５１に送信するかを判断する（Ｓ２２）。携帯電話が手元にあれば位置情報と日時情報を、携帯電話の操作によってサイトサーバー５１に送信する（Ｓ２４、Ｓ２５）。位置情報はＧＰＳより得られ、日時情報は時計部１４ ａから得られる。この後、カメラ１０から画像を送信する。携帯電話がなければ、カメラから画像のみ送信する（Ｓ２６）。カメラ１０が無線送信機能を有していない場合には、ＰＣ３１、３２からネットワークを通してサイトサーバー５１に送信する。
【００４２】
図３（Ａ）に戻り、撮影後にテキスト作成時間がなければ（Ｓ１４ＮＯ）、ここで一旦フローを終える。一方、テキスト作成時間があれば（Ｓ１４ＹＥＳ）、ステップＳ１５に進みテキスト作成を行う。図３（Ｃ）に示す携帯電話処理サブルーチンに入ると、サイトサーバー５１から縮小画像を受信していれば、この受信画像を表示する（Ｓ３１）。ユーザーはこの縮小画像を見ながら、テキストを作成する（Ｓ３２）。テキストの作成が終了すると、携帯電話３６からキャリアサーバー４１を通してサイトサーバー５１にテキストの送信を行う（Ｓ３３）。
【００４３】
このように、本発明の一実施形態においては、ユーザーが画像や原稿（テキスト）をどこかに記録して、記事完成まで保持、管理する必要はなくなる。また、携帯電話で、カメラ１０で撮影された画像を見ながら記事作成を行うことができるので、いっそう確実な、画像とマッチしたテキストの作成ができ、画像との関連付けがなされる。
【００４４】
次に、図４乃至図８を用いてサイトサーバー５１における動作を説明する。このサイトサーバー５１においては、画像受信、日時等情報受信、テキスト受信、アクセス要求受信、カメラへのキーワード送信等を行う。
【００４５】
サイトサーバー処理に入ると、まずサイトサーバー画像受信を行う（Ｓ４１）。このサイトサーバー画像受信のサブルーチンのフローチャートを図５に示す。まず、カメラ１０によって、撮影を行い（Ｓ６１）、撮影された画像３３ａの画像データはＰＣ３１、３２等を通じてサイトサーバー５１に送信される。ステップＳ５１において、サイトサーバー５１が画像データを受信すると、画像データを記録部５２に記録し、ユーザー判定部５４において、ユーザーを判定する。ユーザー判定は、ユーザーによって、あらかじめ登録してある記録をＩＤやパスワードで読み出すことにより行う。
【００４６】
続いて、画像の撮影した日時から、ユーザーが位置と時間の関係を送ったかを調べ（Ｓ５２）、その情報があれば、その情報をもとに、画像、位置、時間の関連付けを行う（Ｓ５４）。次に、ステップＳ５５に進み、対応するテキストデータが有るか無いかの判定を行う。この判定は、画像に関連する位置、時間等の情報に基づいて、対応するテキストがあるかどうかによって行う。対応するテキストがなければ、ユーザーにテキストデータが未だ送信されていないことを知らせるために、リサイズ画像を、ユーザーの持つ携帯電話３６にキャリアサーバー４１を介して送信する。携帯電話３６は、リサイズ画像を受信すると、携帯電話内のメモリに画像を記録する（Ｓ７１）。次に、ユーザーによってこのリサイズ画像に対応するテキストが作成されるモードが選択されたかを判定し（Ｓ７２）、テキスト作成モードが選択された場合には、受信したリサイズ画像を表示する（Ｓ７３）。
【００４７】
ステップＳ５５における判定の結果、すでに、テキストが送信されていた場合には、画像とテキストのセットが揃ったとして、ステップＳ５６をＹに分岐して、セット完了の登録を行う（Ｓ５７）。これにより完成された記事を他のユーザーのＰＣに対しても表示可能とする。なお、テキストを受信することによって、画像とテキストのセットが揃う場合のセット完了については、図６（Ａ−２）を参照。
【００４８】
図４のステップＳ４１のサイトサーバー画像受信のサブルーチンが終了すると、次に、サイトサーバー日時等情報受信の処理（Ｓ４２）と、サイトサーバーテキスト受信の処理（Ｓ４３）を行う。この日時等情報受信とテキスト受信のサブルーチンを図６に示す。
【００４９】
携帯電話会社の有するキャリアサーバー４１は、このようなフローで補助を行う。まず、ユーザーが携帯電話３６を操作すると（Ｓ８１）、操作信号をキャリアサーバー４１に送信する（Ｓ８２）。キャリアサーバー４１は、ステップＳ９１で、ユーザーが携帯を操作した信号が来たことを判定すると、携帯電話３６の所在位置を、キャリアサーバー４１の位置判定部４３によって検出し（Ｓ９２）、また、受信時の時刻情報（Ｓ９３）も合わせて、サイトサーバー９１に送信する（Ｓ９４）。この送信にあたってはサイトサーバー連携部４２を介して行う。
【００５０】
サイトサーバー５１は、携帯電話３６の操作によりキャリアサーバー４１が日時と位置を関連付けた情報を送信してきたことを、これを判定してこれらの関係を記録する(Ｓ１０１)。このとき、ステップＳ４１で受信したカメラの画像に添付されている撮影時間情報を加味して、関連付ける。
【００５１】
続いて、ステップＳ４３のサイトサーバーテキストのサブルーチンに移る。まず、テキスト作成モードが選択されているかの判定を行い（Ｓ８３）、テキスト作成モードであれば、対応する画像を受信しているかを判断する（Ｓ８４）。受信していれば、その画像（縮小画像）を表示する（Ｓ８５）。次に、ユーザーが携帯電話３６においてテキストデータを入力し（Ｓ８６）、テキストが完成すると、キャリアサーバー４１に送信する（Ｓ８７）。このときキャリアサーバー４１は、前述のステップＳ９２、Ｓ９３において、携帯電話３６の所在位置と日時情報を判定し、テキストデータと共にこれらの情報をサイトサーバー５１に送信する（Ｓ９４）。
【００５２】
サイトサーバー５１は、テキスト等を受信すると、まずこれらのデータを記録部５２に記録を行う（Ｓ１０２）．次に、キャリアサーバー４１から送信されてきたデータの中には、画像のないブログ記事もあり、あるいは、先にテキストだけが出来て送られてきたものもある。そこで、画像とテキストが揃ったか否かを判定し（Ｓ１０３）、両者が揃っていた場合には、セット完了登録を行う（Ｓ１０４）。このセット完了登録がなされているかどうかによって、表示やアクセスの許可、不許可を行う。また、カメラからの画像送信時に、テキストが揃わないと記録部に記録した画像の表示やアクセスを禁止するような信号を付加可能にしておいてもよい。
【００５３】
ステップＳ４３のサイトサーバーテキスト受信が終わると、次に、ステップＳ４４のサイトサーバーアクセス要求受信に進む。このアクセス要求受信のサブルーチンについて、図７を用いて説明する。サイトサーバー５１に対して、第三者のＰＣ３４からブログの表示を要求するような、アクセスがあった場合には、このアクセスがブログ作成者本人か否かの判定を行う（Ｓ１１１）。この判定は、ＩＤやパスワードの確認等によって行う。
【００５４】
判定の結果、本人であった場合には、ブログ記事未完成でも、アクセス（閲覧）を許可する（Ｓ１１３）。一方、判定の結果、本人ではなかった場合には、ブログが完成しているか否かについて、ステップＳ５７やステップＳ１０４におけるセット完了登録がなされているかを判定する（Ｓ１１２）。セット未完了の場合には、ブログ未完成であることから、閲覧を不許可とし（Ｓ１１４）、ブログが完成している場合には、閲覧を許可する（Ｓ１１３）。
【００５５】
サイトサーバー公開要求のサブルーチンが終了すると、ステップＳ４５のカメラへのキーワード送信処理のサブルーチンに進む。このキーワード送信処理のサブルーチンは、先にテキストだけがサイトサーバー５１に入力、記録されている場合に、カメラ１０がＰＣ３２に接続されていることが判定された場合に、テキストのキーワード情報をカメラ１０にダウンロードするものである。テキストのテーマ（キーワード）を図９に示すように、カメラ１０の背面の表示部１２に表示するので、このテーマを見ながら撮影することができ、ブログ記事にふさわしい画像を取得することができる。
【００５６】
キーワード送信処理のサブルーチンについて、図８を用いて説明する。カメラ１０がＰＣ３２に接続されると、カメラ１０はＰＣ３２にカメラのＩＤを送信し（Ｓ１３１）、ＰＣ３２はサイトサーバー５１にカメラが接続されたことを通信する。サイトサーバー５１は、カメラ１０が接続されたこと判定すると（Ｓ１２１）、ステップＳ１２２に進む。サイトサーバー５１の記録部５２には、それまでに送信されてきたテキスト３７が記録されている。ステップＳ１２２において、そのカメラ１０を使用しているユーザーに対応する文章（テキスト）があるかを判定する。
【００５７】
キーワード抽出部６１が、その文章（テキスト）からキーワードを抽出し、例えば、「これは、八ヶ岳で撮った写真ですね、きれいですね。」とあれば、キーワードとして「八ヶ岳」が抽出される。キーワードを抽出すると、次に、カメラ通信部（カメラのＭＰＵ１４と所定のプロトコルで通信する手段）６２を介して、カメラ１０がキーワードを受信し（Ｓ１３２）、記録メディア９に記憶する。カメラ１０のＭＰＵ１４がキーワードを表示部１２に表示し（Ｓ１３３）、ユーザーは撮影時に補助情報として撮影する（Ｓ１３４）。
【００５８】
以上、本発明を適用したブログ作成支援システムにおけるサイトサーバー５１の動作について説明したが、図３に示すサイトサーバー５１の動作手順は、順番を適宜、変更しても良く、例えば、サイトサーバー画像受信（Ｓ４１）より先に、サイトサーバー日時等情報受信（Ｓ４２）を処理しても良い。また、ステップＳ４５のカメラへのキーワード送信処理が終了すると、再び、ステップＳ４１に戻り、上述のステップを繰り返し実行する。
【００５９】
次に、撮影動作を行うカメラ１０の動作フローについて、図１０を用いて説明する。図１０（Ａ）はカメラ１０のメインフローであり、図１０（Ｂ）〜（Ｄ）は、メインルーチン中の各サブルーチンの詳細を示す。
【００６０】
図１０（Ａ）に示すメインルーチンに入ると、まず、ステップＳ１４１において、撮影モードで撮影動作を行う。撮影モードのサブルーチン（Ｂ）では、まず、表示部１２にサイトサーバー５１から送信されたキーワードを表示し、撮影指示を行う（Ｓ１５１）。この撮影指示に沿った被写体にユーザーはカメラ１０を向け、露出制御値やＡＦ制御の判定を行い（Ｓ１５２）、撮影日時判定を行い（Ｓ１５３）、これらの情報と共に画像を記録メディア９に記録する（Ｓ１５４）。撮影モードにおける撮影動作が終了すると、次に、再生モード（Ｓ１４２）に進む。再生モード（Ｃ）では、記録メディア９に記録された画像を再生し、表示部１２に表示する。
【００６１】
再生モードにおける再生動作が終了すると、次に、送信モード（Ｓ１４３）に進む。再生モードにおいて、画像を送信選択した場合（送信モード（Ｄ））に、画像アップロードが行われる。つまり、撮影した結果を通じて発表したい場合には、その旨を指定すれば、これを判定して、Ｓ１７１にて送信画像の表示を行い、Ｓ１７５でカメラ外に送信されるようになっている。この送信の設定はスイッチ１５ｂ（図２、図９参照）等で行う。
【００６２】
また、送信された画像がすぐに公開されては困る場合には、テキストと一緒になって始めて、公開を許すような指示をカメラ側から行うようにしてもよい。つまり、カメラ１０からの送信に先立って、この画像のブログにはテキストが必要なことを事前にカメラ１０で設定しておけば（Ｓ１７３）、その旨を示す信号を画像に付与して送信を行う（Ｓ１７４）。つまり、テキストがあると設定した場合は、送信時に、その旨をブログサイトのサイトサーバー５１に伝え、テキストが揃わないと表示させないようにする。また、テキストがなくてもよいときにはテキスト不要の信号を付与して、ステップＳ１７５で画像送信を行う。付随情報があれば、それも添付する。サイトサーバー５１が、テキストが必要である旨の上記信号も、ステップＳ１１２の判断に加えれば、画像のみでも、公開が許可されるようになる。
【００６３】
以上のように、本発明を適用したブログ作成支援システムは、構成されているが、以下のような変形が可能である。例えば、ユーザーは撮影時に携帯電話を所持しているであろうから、撮影に続いて、あるいは、図９のように、撮影をしながら、所定の携帯電話操作を行って、携帯電話ならではの機能を流用した情報を付加してもよい。付加情報としては、例えば、ＧＰＳ付携帯であれば場所情報であったり、音楽付携帯であれば、音楽情報であってもよい。これによって、携帯電話３６からは所定の信号がキャリアサーバー４１を介して、サイトサーバー５１に、こうした付加情報が送信される。
【００６４】
サイトサーバー５１は、送られてきた時間によって、画像データの有する時間情報と照合し、どのデータがどの画像と関連付けできるかを時間判定部５６と関連付け部５７を介して判定し、例えば、画像表示時に、撮影した場所や、そのときイメージしていた音楽などを、表示、または再生できるようにすることが出来る。それらの実施には、ブログサイトとしてのサイトサーバー５１とキャリアサーバー４１とで、所定の信号の判定によって制御を切り換える、決まりをあらかじめ決めておく。
【００６５】
また、本発明の一実施形態では、画像に添付して、または画像に関連付けが可能なデータと共にテキストデータ３７ａがサイトサーバー５１に送信されていた。サイトサーバー５１に送信されるデータとしては、文字のみからなる純粋なテキスト形式に限らず、例えば、ＭＳワード形式、ＭＳエクセル形式、パワーポイント形式、前述の音楽情報等、種々のアプリケーションソフトによって作成されたデータであっても勿論構わない。このような画像と添付データの組み合わせとしては、他に静止画と動画等の組み合わせでも良い。
【００６６】
さらに、本発明の一実施形態では、携帯電話３６から画像に対応するデータと共に、その画像を関連付けするためにデータを送信しているが、このデータとしては、テキストの他、日時データや位置データだけでも勿論良い。
【００６７】
本発明の実施形態によれば、ユーザーが撮影した画像をすぐに、ブログ等のプロバイダに保管して、なくしてしまう心配をなくすとともに、その画像に合ったテキストをどこででも、作成でき、画像とテキストの整合性を向上させ、なおかつ、それらがセットとなって完成した時に初めて公開するようにしたので、ユーザーは従来よりもコンテンツの内容を考える時間を持つことが出来る。
【００６８】
また、本発明の実施形態によれば、すぐれた描写のデジタルカメラで撮影した写真と、心の中にあることをどこでも記述できる携帯用端末で作成したテキストを、あたかも、同じ状況下で作成された一組のコンテンツであるように、他の人に閲覧可能とすることが出来る。カメラでの撮影時と、テキスト作成時の自由度を向上させて、ユーザーの創造力を発揮せしめ、より高度なレベルのコンテンツ作成が可能となる。
【００６９】
さらに、上記実施形態では、サイトサーバー５１の各処理が、ＣＰＵ６０及び記録部５２、リサイズ部５３等によって行われることを説明したが、この形態に限られることはない。つまり、ユーザー判定部５４、関連付け部５７、キーワード抽出部６１、ブログ判定部６３等の各機能をハードウエアではなく、一部または全てをソフトウエア処理に置き換えても良いからである。具体的には、上記の各機能部がＣＰＵ６０によって実行される処理機能に置き換わることになる。そしてこの場合には、ＲＯＭに格納されこれらの処理機能をＣＰＵ６０に実行させるプログラムが本願発明を構成することになる。あわせてそのプログラムを格納する記録媒体も本願発明を構成するといえる。なお、かかるプログラムはＲＯＭに格納されるばかりでなく、ＣＤ等の他ネットワークを介して外部から供給されてもよい。
【００７０】
本発明の実施形態の説明にあたっては、デジタルカメラと携帯電話の組み合わせを例に挙げたが、デジタルカメラとしては、コンパクトタイプのデジタルカメラや一眼レフタイプのデジタル等の種々のデジタルカメラが含まれる。また、携帯電話としては、一般的な携帯電話の他にモバイルパソコン内蔵の携帯通信端末等も含まれ、テキストデータの作成可能な携帯可能な機器であれば良い。
【符号の説明】
【００７１】
２・・・撮影レンズ部、２ａ・・・Ａ制御部、３・・・絞り部、３ａ・・・絞り制御部、４・・・撮像素子、５・・・ＡＦＥ、６・・・画像処理部、７・・・圧縮伸長部、８・・・記録再生部、９・・・記録メディア、１０・・・カメラ、１１・・・表示制御部、１１ａ・・・マルチ制御部、１２・・・表示部、１３・・・補助光発光部、１４・・・ＭＰＵ、１４ａ・・・時計部、１５・・・ＲＯＭ、１５ａ・・・レリーズスイッチ、１５ｂ・・・モード切換スイッチ、１５ｃ・・・他のスイッチ、１６・・・入出力部、１７ａ・・・色判別部、１７ｂ・・・コントラスト判定部、２０・・・被写体、３０・・・外部の人間、３１・・・画像データ（図ではＰＣ）、３２・・・ＰＣ、３４・・・ＰＣ、３５・・・ネットワーク、３６・・・携帯電話、３７・・・テキスト、４１・・・キャリアサーバー、４２・・・サイトサーバー連携部、４３・・・位置判定部、５１・・・サイトサーバー、５２・・・記録部、５３・・・リサイズ部、５４・・・ユーザー判定部、５５・・・携帯送信部、５７・・・関連付け部、５８・・・アクセス反応部、５９・・・表示制御部
【図１】
0005657753.tif 000002
【図２】
0005657753.tif 000003
【図３】
0005657753.tif 000004
【図４】
0005657753.tif 000005
【図５】
0005657753.tif 000006
【図６】
0005657753.tif 000007
【図７】
0005657753.tif 000008
【図８】
0005657753.tif 000009
【図９】
0005657753.tif 000010
【図１０】
0005657753.tif 000011
【図１１】
0005657753.tif 000012